(57)【特許請求の範囲】
【請求項１】
移動通信のための受信装置であって、
多重経路を介して伝送される複数のフィジカルチャンネルの信号を受信する複数のフィンガーと、
前記複数のフィジカルチャンネルから１つのフィジカルチャンネルを選択するための選択信号を発生させるセレクタ手段と、
前記各フィンガーに連結され、前記選択信号によって選択されたフィジカルチャンネルに対応する信号を結合して出力する４つの第１〜第４コンバイナー手段とを有し、
前記第１コンバイナー手段は、ＣＰＩＣＨ（common pilot channel）を含む第１のフィジカルチャンネルのグループに対応して設けられ、
前記第２コンバイナー手段は、ＤＰＣＨ（dedicated physical channel）を含む第２のフィジカルチャンネルのグループに対応して設けられ、
前記第３コンバイナー手段は、ＰＤＳＣＨ（physical downlink shared channel)、ＡＩＣＨ（acquisition indicator channel）、ＰＩＣＨ（pageindicator channel）およびＣＳＩＣＨ（common packet channel status indicator channel）を含む第３のフィジカルチャンネルのグループに対応して設けられ、
前記第４コンバイナー手段は、Ｐ−ＣＣＰＣＨ（primary common control physical channel）およびＳ−ＣＣＰＣＨ（secondary commoncontrol physical channel）を含む第４のフィジカルチャンネルのグループに対応して設けられ、
前記選択信号は、前記グループに属する前記フィジカルチャンネルを選択することを特徴とする移動通信のための受信装置。
【請求項２】
移動通信のための受信装置であって、
それぞれタイムオフセットを有する複数のチャンネルを介して信号を受信して、受信した信号をＦＩＦＯ（first in first out）方式で処理する複数のフィンガーと、
前記各フィンガーから入力された信号を結合して、選択信号によって選択されたフィジカルチャンネルの信号を出力する４つの第１〜第４コンバイナー手段と、
前記各コンバイナー手段において結合する信号のフィジカルチャンネルを選択して、前記選択信号として前記各コンバイナー手段に提供するセレクタ手段とを有し、
前記各フィジカルチャネルは４つのグループのうちいずれか１つに属しており、前記４つのグループは、ＣＰＩＣＨ（common pilot channel）を含む第１のフィジカルチャンネルのグループ、ＤＰＣＣＨ（dedicated physicalcontrol channel）およびＤＰＤＣＨ（dedicated physical data channel）を含む第２のフィジカルチャンネルのグループ、ＰＤＳＣＨ（physicaldownlink shared channel)、ＡＩＣＨ（acquisition indicator channel）、ＰＩＣＨ（pageindicator channel）およびＣＳＩＣＨ（common packet channel status indicator channel）を含む第３のフィジカルチャンネルのグループ、Ｐ−ＣＣＰＣＨ（primarycommon control physical channel）およびＳ−ＣＣＰＣＨ（secondary common control physicalchannel）を含む第４のフィジカルチャンネルのグループからなり、
前記セレクタ手段は、前記各コンバイナー手段に対応するフィジカルチャンネルを、前記各コンバイナー手段に対応する前記フィジカルチャンネルのグループから選択することを特徴とする移動通信のための受信装置。
【発明の詳細な説明】
【０００１】
【発明の属する技術分野】
本発明は、移動通信システムの受信装置（レシーバ；receiver）に関し、特に、物理チャンネル(physical channel)などを使用する次世代の移動通信システムにおいて無線信号処理(radiosignaling)に要求されるハードウェアをチャンネル特性に応じて簡素化させた移動通信システムの受信装置に関する。
【０００２】
【従来の技術】
一般に、３ＧＰＰに属するＴＳＧ(TechnicalSpecification Group)はＲＡＮ(Radio Access Network)規格について勧告している。このＲＡＮ規格では物理階層(physicallayer)で使用される伝送チャンネル(transport channels)と物理チャンネル(physical channels)を規定している。そのうちの伝送チャンネルは、データがどんな特性でどうして無線空間に伝送されるかによって定義される。また、物理チャンネルは特定の搬送周波数、スクランブリングコード、チャンネル化コード（選択的）、一伝送区間の始めと終了によって定義されており、上向きリンクでは相対的な位相（０又は／２）によって定義される。
【０００３】
図１は従来の移動通信システムによる伝送チャンネルの物理チャンネルへのマッピング(mapping of transport channels onto physical channels)を示す図である。ここでは、伝送チャンネルが物理チャンネルとマッピングされている。
【０００４】
ところで、仮に、既に知られているＲＡＫＥ受信装置(ＲＡＫＥレシーバ；ＲＡＫＥreceiver)を使用する移動通信システムで前記３ＧＰＰ規格に従う場合、ＲＡＫＥ受信装置のフィンガー手段と結合器(radiosignaling end；無線信号処理端）は図２に示すように構成されている。
【０００５】
図２は、従来のＲＡＫＥレシーバのフィンガー手段と結合器の構成例を示すブロック図である。図２に示すように、ＲＡＫＥレシーバ１００は、複数のフィンガー手段と、三つフィンガー手段毎に対応する各結合器（コンバイナー手段）１０１〜１０７とを有しており、受信される一つのダウンリンクフィジカルチャンネル(DPCH;downlink physical channel)を多数の経路に分離し、その分離された各経路のチャンネルをそれぞれ各フィンガー手段にて復調と逆拡散(demodulationand dispreading)し、この後に結合器１０１〜１０７にてそれぞれ結合(combine)する。このように、復調と逆拡散処理とはフィンガー(fingers)が担当し、結合器１０１〜１０７はそれぞれ多数の経路を結合している。
【０００６】
【発明が解決しようとする課題】
上記従来の構成では、使用されるあらゆるダウンリンクフィジカルチャンネルに対して、各受信経路等を結合して出力する経路を構成すべきであった。更に詳細に説明すれば、上記従来の構成では、多数の受信経路に入力されるあらゆるダウンリンクフィジカルチャンネルの各々に対して各受信経路別のフィンガー手段を備えなければならず、また、フィンガー手段の出力を結合する結合器１０１〜１０７を各チャンネルの個数に合わせて備えなければならなかった。
【０００７】
現在、移動通信システムに具現化されるＲＡＫＥレシーバ１００は、互いに異なる時間差で入る一つのチャンネルに対して電力の大きさに基づいて３つの経路に分離して処理するので、ダウンリンクフィジカルチャンネルをすべて処理するためにはチャンネルの個数の３倍程度のフィンガー手段と全体チャンネルの個数程度の結合器１０１〜１０７が必要である。
【０００８】
図２では、ダウンリンクフィジカルチャンネルを七つ使用する例を示し、これにより必要とするフィンガー手段の個数は２１（７×３）個であり、結合器（コンバイナー手段；combiner)の個数は７個である。なお、ＲＡＫＥレシーバ１００に一般的に備わる探索器(searcher)まで、即ちパイロットの大きさを続けて測定するためのフィンガー手段まで備えると、総計２２個のフィンガー手段を必要とするようになる。
【０００９】
結局、上記従来のＲＡＫＥレシーバ１００では、ダウンリンクフィジカルチャンネルの処理を消化し切るべく、ラジオシグナリング処理に要求される全体のハードウェアのスケールが大きくなる。さらに、ラジオシグナリング処理に使用される多くの論理演算器が要求されるため、回路構成が複雑になり、回路の具現化に消耗される費用も増加するという短所があった。
【００１０】
本発明は、上記従来の問題を解決するもので、フィンガー手段と結合器（無線信号処理端）をダウンリンクフィジカルチャンネルの特性に応じてグループ化して構成することにより全体回路構成を大幅に削減することができる移動通信システムの受信装置を提供することを目的とする。
【００１１】
【課題を解決するための手段】
本発明の移動通信システムの受信装置は、互いに異なるタイムオフセットで入力される多重経路の特定のチャンネルをラジオシグナリング処理して出力する一または複数のフィンガー手段と、この一または複数のフィンガー手段から出力されるチャンネル信号を結合するコンバイナー手段と、このコンバイナー手段からの出力を選択制御するための選択信号をコンバイナー手段に供給するセレクタ手段とを有するものであり、そのことにより上記目的が達成される。
【００１２】
また、好ましくは、本発明の移動通信システムの受信装置において、フィンガー手段から出力される他のチャンネルを結合するコンバイナー手段を一つまたは複数有する。
【００１３】
さらに、好ましくは、本発明の移動通信システムの受信装置におけるセレクタ手段は、フィンガー手段から多数の互いに異なるチャンネル信号がシリアルデータとして出力される場合に、同一のチャンネルが同一のコンバイナー手段で結合されるように制御するチャンネル選択信号を前記コンバイナー手段にそれぞれ供給する。
【００１４】
さらに、好ましくは、本発明の移動通信システムの受信装置におけるセレクタ手段は、フィンガー手段から互いに異なる複数のチャンネル信号がシリアル信号として出力される場合に、一つのチャンネル信号が第１コンバイナー手段で結合されるように第１チャンネルのための第１選択信号を前記第１コンバイナー手段に供給し、他のチャンネル信号が第２コンバイナー手段で結合されるように第２チャンネルのための第２選択信号を前記第２コンバイナー手段に供給する。
【００１５】
さらに、好ましくは、本発明の移動通信システムの受信装置におけるセレクタ手段は、フィンガー手段からダウンリンクフィジカルチャンネル信号が出力される場合に、ＣＰＩＣＨ(common pilot channel)が結合されるように前記ＣＰＩＣＨのための第１選択信号を第１コンバイナー手段に供給し、ＤＰＣＨ(dedicatedphysical channel)が結合されるように前記ＤＰＣＨのための第２選択信号を第２コンバイナー手段に供給し、ＰＤＳＣＨ(physicaldownlink shared channel)、ＡＩＣＨ(acquisition indicator channel)、ＰＩＣＨ(pageindicator channel)およびＣＳＩＣＨ(common packet channel status indicator channel)のうちの何れか一つが結合されるようにＸ−ＣＨ(X=PDSor AI or PI or CSI)のための第３選択信号を第３コンバイナー手段に供給し、Ｐ−ＣＣＰＣＨ(primary control physicalchannel)およびＳ−ＣＣＰＣＨ(secondary control physical channel)のうちの何れか一つが結合されるようにＹ−ＣＣＰＣＨ(Y=Por S)のための第４選択信号を第４コンバイナー手段に供給する。
【００１６】
さらに、好ましくは、本発明の移動通信システムの受信装置におけるコンバイナー手段は、フィンガー手段から出力されるダウンリンクフィジカルチャンネル信号の中でＣＰＩＣＨを専用で結合するための第１コンバイナー手段と、該ダウンリンクフィジカルチャンネル信号の中でＤＰＣＨを専用で結合するための第２コンバイナー手段と、該ダウンリンクフィジカルチャンネル信号の中でＰＤＳＣＨ、ＡＩＣＨ、ＰＩＣＨおよびＣＳＩＣＨのうちの何れか一つを選択的に結合するための第３コンバイナー手段と、該ダウンリンクフィジカルチャンネル信号の中でＰ−ＣＣＰＣＨおよびＳ−ＣＣＰＣＨのうちの何れか一つを選択的に結合するための第４コンバイナー手段とを有する。
【００１７】
さらに、好ましくは、本発明の移動通信システムの受信装置におけるセレクタ手段は、第３コンバイナー手段がＰＤＳＣＨ、ＡＩＣＨ、ＰＩＣＨおよびＣＳＩＣＨのうちの何れか一つを結合するように制御する第３選択信号を第３コンバイナー手段に出力し、第４コンバイナー手段がＰ−ＣＣＰＣＨおよびＳ−ＣＣＰＣＨのうちの何れか一つを結合するように制御する第４選択信号を第４コンバイナー手段に出力する。
【００１８】
さらに、好ましくは、本発明の移動通信システムの受信装置におけるセレクタ手段は、フィンガー手段からダウンリンクフィジカルチャンネル信号が出力される場合に、フィジカルチャンネルの中で第１フィジカルチャンネルを結合するように制御する第１チャンネル選択信号を第１コンバイナー手段に供給し、フィジカルチャンネルの中で第２フィジカルチャンネルを結合するように制御する第２チャンネル選択信号を第２コンバイナー手段に供給し、フィジカルチャンネルの中で第３フィジカルチャンネルを結合するように制御する第３チャンネル選択信号を第３コンバイナー手段に供給し、フィジカルチャンネルの中で第４フィジカルチャンネルを結合するように制御する第４チャンネル選択信号を第４コンバイナー手段に供給する。
【００１９】
さらに、好ましくは、本発明の移動通信システムの受信装置において、特定のダウンリンクフィジカルチャンネルが互いに異なるタイムオフセットでＲＡＫＥ受信装置に受信される場合に備えて、フィンガー手段は、各々の相違するタイムオフセットに応じて分離された経路でラジオシグナリング処理するための第１経路の第１フィンガー手段と、第２経路の第２フィンガー手段と、第３経路の第３フィンガー手段とを有する。
【００２０】
さらに、好ましくは、本発明の移動通信システムの受信装置において、フィンガー手段から互いに異なるタイムオフセットで出力される任意のフィジカルチャンネル信号を一つのタイミングで結合して出力するコンバイナー手段を複数個備える。
【００２１】
さらに、好ましくは、本発明の移動通信システムの受信装置において、フィンガー手段から互いに異なるフィジカルチャンネル信号が連続して出力される場合に備えて、互いに異なるフィジカルチャンネルが分離されて互いに異なるコンバイナー手段で結合されるように制御する。
【００２２】
さらに、好ましくは、本発明の移動通信システムの受信装置において、互いに異なるフィジカルチャンネルが互いに異なるコンバイナー手段に分離され、セレクト手段は、各コンバイナー手段が一つのフィジカルチャンネルを選択的に結合するように制御する選択信号を各コンバイナー手段に出力する。
【００２３】
本発明の移動通信システムの受信装置は、ダウンリンクフィジカルチャンネルが多重経路へ受信されるに従って、各チャンネルをＦＩＦＯ(first in first out)タイプで並列してラジオシグナリング処理するフィンガー手段と、このフィンガー手段から出力される互いに異なるタイムオフセットの任意のチャンネルを同じタイミングで結合するコンバイナー手段と、フィンガー手段から出力される互いに異なるフィジカルチャンネルが互いに異なるコンバイナー手段で結合されるように制御するセレクター手段とを有するものであり、そのことにより上記目的が達成される。
【００２４】
また、好ましくは、本発明の移動通信システムの受信装置におけるコンバイナー手段は、フィンガー手段から互いに異なるタイムオフセットで出力されるＣＰＩＣＨｓ(common pilot channels)を一つのタイミングで結合する第１コンバイナー手段と、フィンガー手段から互いに異なるタイムオフセットで出力されるＤＰＣＨｓを一つのタイミングで結合する第２コンバイナー手段と、フィンガー手段から互いに異なるタイムオフセットで出力されるＰＤＳＣＨｓ、ＡＩＣＨｓ、ＰＩＣＨｓおよびＣＳＩＣＨｓのうちの何れかを一つのタイミングで結合する第３コンバイナー手段と、フィンガー手段から互いに異なるタイムオフセットで出力されるＰ−ＣＣＰＣＨｓおよびＳ−ＣＣＰＣＨｓのうちの何れかを一つのタイミングで結合する第４コンバイナー手段とを有する。
【００２５】
さらに、好ましくは、本発明の移動通信システムの受信装置におけるコンバイナー手段は、ダウンリンクフィジカルチャンネルの中でフィンガー手段から互いに異なるタイムオフセットで出力される第１フィジカルチャンネルを一つのタイミングで結合する第１コンバイナー手段と、ダウンリンクフィジカルチャンネルの中でフィンガー手段から互いに異なるタイムオフセットで出力される第２フィジカルチャンネルを一つのタイミングで結合する第２コンバイナー手段と、ダウンリンクフィジカルチャンネルの中でフィンガー手段から互いに異なるタイムオフセットで出力される第３フィジカルチャンネルを一つのタイミングで結合する第３コンバイナー手段と、ダウンリンクフィジカルチャンネルの中でフィンガー手段から互いに異なるタイムオフセットで出力される第４フィジカルチャンネルを一つのタイミングで結合する第４コンバイナー手段とを有する。
【００２６】
さらに、好ましくは、本発明の移動通信システムの受信装置におけるセレクター手段は、ダウンリンクフィジカルチャンネルの中で第１フィジカルチャンネルを結合するように制御するための第１フィジカルチャンネルの選択信号を第１コンバイナー手段に出力し、ダウンリンクフィジカルチャンネルの中で第２フィジカルチャンネルを結合するように制御するための第２フィジカルチャンネルの選択信号を第２コンバイナー手段に出力し、ダウンリンクフィジカルチャンネルの中で第３フィジカルチャンネルを結合するように制御するための第３フィジカルチャンネルの選択信号を第３コンバイナー手段に出力し、ダウンリンクフィジカルチャンネルの中で第４フィジカルチャンネルを結合するように制御するための第４フィジカルチャンネルの選択信号を第４コンバイナー手段に出力する。
【００２７】
さらに、好ましくは、本発明の移動通信システムの受信装置におけるセレクター手段は、コンバイナー手段が互いに異なるダウンリンクフィジカルチャンネルをそれぞれ結合するように制御する選択信号をコンバイナー手段に供給する。
【００２８】
【発明の実施の形態】
以下、本発明の移動通信システムの受信装置の第１および第２実施形態について、添付の図面を参照しながら詳細に説明する。なお、従来例と同様な構成については同一の名称および同一の符合を使用してその説明を省略する。
【００２９】
以下、本発明の説明では、ダウンリンクフィジカルチャンネルとして、主−共通制御物理チャンネルＰ−ＣＣＰＣＨ(Primary Common Control Physical Channel)、副−共通制御物理チャンネルＳ−ＣＣＰＣＨ(SecondaryCommon Control Physical Channel)、同期チャンネルＳＣＨ(Synchronization Channel)、専用物理チャンネルＤＰＣＨ(DedicatedPhysical Channel)、呼出表示子チャンネルＰＩＣＨ(Page Indicator Channel)、物理下向きリンク共用チャンネルＰＤＳＣＨ(PhysicalDownlink Shared Channel)、捕捉表示子チャンネルＡＩＣＨ(Acquisition Indicator Channel)、共通パケットチャンネル状態表示子チャンネルＣＳＩＣＨ(Commonpacket channel Status Indicator Channel)、共通パイロットチャンネルＣＰＩＣＨ(Common PilotChannel)を適用する。
【００３０】
まず、本発明の第１および第２実施形態の詳細な説明に先立って上記したチャンネル等に対する特性について説明する。
【００３１】
Ｐ−ＣＣＰＣＨは、セルのシステムフレームナンバーＳＦＮを伝送し、あらゆる物理チャンネルのタイミング基準として使用される。Ｐ−ＣＣＰＣＨは各スロットの始めの２５６チップ区間では伝送されない。Ｐ−ＣＣＰＣＨの伝送されない区間では主同期チャンネル(Primary SCH)と副同期チャンネル(Secondary SCH)が伝送される。Ｓ−ＣＣＰＣＨとＰ−ＣＣＰＣＨは同じフレーム長を有する。前記２つのチャンネル間の主要の相違点は、Ｐ−ＣＣＰＣＨにマッピングされる伝送チャンネルのＢＣＨが単に予め定義される固定の伝送フォーマット組合ＴＦＣだけを有する反面、Ｓ−ＣＣＰＣＨは伝送フォーマット組合表示子ＴＦＣＩを使う多重伝送フォーマット組合ＴＦＣｓを支援するという点である。同期チャンネルはセルを探索するために使用される下向きリンク信号である。前記同期チャンネルは主同期チャンネルと副同期チャンネルとからなる。各々の主同期チャンネルと副同期チャンネルの無線フレームは１５スロットに分けられ、各スロットの長さは２５６０チップの長さである。
【００３２】
ＤＰＣＨには下向きリンク時間分割によって比較される下向きリンク専用物理データチャンネルＤＰＤＣＨと下向きリンク専用物理制御チャンネルＤＰＣＣＨがある。ＤＰＣＣＨは制御情報の伝送に使用される。前記制御情報はコヒアラント検出のためのチャンネル推定を支援するための公知のパイロットビット、伝送電力制御命令ＴＰＣ、フィードバック情報ＦＢＩ、さらに伝送フォーマット組合せ表示子（選択的）から構成される。ＤＰＤＣＨは専用のデータを伝送するのに使用される。
【００３３】
ＰＩＣＨは呼出表示子の伝送に使用される固定速度物理チャンネルである。ＰＩＣＨは常に伝送チャンネルのＰＣＨとマッピングされるＳ−ＣＣＰＣＨと組み合わせる。各ＰＤＳＣＨは各無線フレームに対して下向きリンクＤＰＣＨと連合される。ＰＤＳＣＨと連合されたＤＰＣＨは必ず同一の拡散因子を有せず、必ずフレームを連合しない。係わったあらゆる第１階層制御情報が連合されたＤＰＣＨのＤＰＣＣＨを介して伝送されると、ＰＤＳＣＨは第１階層情報を伝送しない。
【００３４】
更に、ＰＣＳＣＨフレームのために使用される伝送ダイバーシティーモードは、前記ＰＤＳＣＨフレームに連合されるＤＰＣＨのために使用される伝送ダイバーシティーモードと同一視される。連合されたＤＰＣＨ上の伝送ダイバーシティーモードはＰＤＳＣＨフレームに先立ったスロット区間内で或いはＰＤＳＣＨフレーム区間内で変わらないことが一般的である。
【００３５】
ＡＩＣＨは捕捉表示子ＡＩの伝送に使用される。ＡＩＣＨは、連続された１５アクセススロットの各々の５１２０チップ長を有する繰り返されるシーケンスから構成される。各アクセススロットは３２個のシンボルからなる捕捉表示子ＡＩ部分と、一般的にＡＩＣＨの伝送されない１０２４区間の部分とから構成される。前記ＡＩＣＨの伝送されない部分はＣＳＩＣＨまたは他の物理チャンネルを伝送するのに使用するように残した部分である。
【００３６】
ＣＳＩＣＨは共通パケットチャンネルＣＰＣＨの状態情報の伝送に使用される固定速度物理チャンネルである。ＣＳＩＣＨは常にＣＰＣＨの伝送のために使用される物理チャンネルと連合され、同一のチャンネル化コードとスクランブリングコードを使用する。ＣＳＩＣＨフレームは連続された１５アクセススロットＡＳｓから構成される。各スロットは、通常、ＣＳＩＣＨの伝送に使用されない４０９６チップ区間と８ビットからなる状態表示子ＳＩ部分とから構成される。ここで、ＣＳＩＣＨの伝送されないチップ区間はＡＩＣＨの伝送に使用するために残した部分である。ＣＳＩＣＨに使用される変調はＰＩＣＨと同一である。また、ＣＳＩＣＨのための位相基準は主ＣＰＩＣＨである。ＣＰＣＨ状態表示子モード(CSICH mode)はＣＳＩＣＨ上に伝送される情報構造と定義される。ここで、二つのＣＳＩＣＨモードはチャンネルの割当が有効であるか否かによって区分される。ＣＳＩＣＨモードはフレーム当たり状態表示子の数を定義し、また、各状態表示子の内容を定義する。
【００３７】
ＣＰＩＣＨには主ＣＰＩＣＨと副ＣＰＩＣＨとがある。主ＣＰＩＣＨはダウンリンクフィジカルチャンネル、つまりＳＣＨ、Ｐ−ＣＣＰＣＨ、ＡＩＣＨ、ＰＩＣＨ、ＣＳＩＣＨ、ＤＰＣＣＨ  ｆｏｒ  ＣＰＣＨ、さらにＳ−ＣＣＰＣＨに対する位相基準である。また、主ＣＰＩＣＨは下向きリンクＤＰＣＨとどの組み合わされたＰＤＳＣＨの位相基準である。副ＣＰＩＣＨは下向きリンクＤＰＣＨの位相基準になることもある。また、副ＣＰＩＣＨは主ＣＰＩＣＨに代わって開放ループ伝送ダイバーシティーを使用するダウンリンクフィジカルチャンネルに対する位相基準になることもある。
【００３８】
図６はダウンリンクフィジカルチャンネルのフレームタイミングを説明するための図である。図６に示すように、ＳＣＨ(primary and secondary)、ＣＰＩＣＨ(primary and secondary)、Ｐ−ＣＣＰＣＨ、さらにＰＤＳＣＨは同一のフレームタイミングを有する。Ｓ−ＣＣＰＣＨのタイミングは他のＳ−ＣＣＰＣＨと相違するタイミングになってもよい。しかし、Ｐ−ＣＣＰＣＨのフレームタイミングとの変位(offset)は２５６チップの倍数である。ＰＩＣＨタイミングは続くＳ−ＣＣＰＣＨのフレームタイミングよりもｔＰＩＣＨ＝７６８０チップほど先立つ。即ち、図７に示すように、ＰＩＣＨフレームは、呼出情報を含む伝送チャンネルのＰＣＨを伝送するＳ−ＣＣＰＣＨのフレームタイミングよりもｔＰＩＣＨ＝７６８０チップほど先立つ。連合されたＰＤＳＣＨとＤＰＣＨの相対的なタイミングは図８で説明する。ＤＰＣＨは他のＤＰＣＨと相違するタイミングを有する。しかし、Ｐ−ＣＣＰＣＨのフレームタイミングとの変位(offset)は２５６チップの倍数である。
【００３９】
以下、上述したダウンリンクフィジカルチャンネルの特性を考慮した本発明の移動通信システムの受信装置についてその構成を詳細に説明する。
【００４０】
図４は、本発明の移動通信システムの第１実施形態によるＲＡＫＥレシーバ(receiver)のフィンガー手段とコンバイナー手段（radio signaling end；無線信号処理端）とを示すブロック図である。
【００４１】
図４において、本発明のＲＡＫＥレシーバ２００は、結合器（無線信号処理端）である４つのコンバイナー手段(combiners)２０１〜２０４と、セレクタ手段(selector)２１０と、第１経路の第１フィンガー手段２１１、第２経路の第２フィンガー手段２１２、第３経路の第３フィンガー手段２１３からなる３つのフィンガー手段(fingers)とから構成されている。
【００４２】
コンバイナー手段２０１〜２０４は、各フィンガー手段２１１〜２１３のパス(paths)を結合する。即ち、コンバイナー手段２０１〜２０４はフィンガー手段２１１〜２１３から出力されるチャンネル信号を結合する。ここで、各フィンガー手段２１１〜２１３とコンバイナー手段２０１〜２０４の位相タイミングがずれた波形は図３（図２に対応）により例示的に示している。
【００４３】
コンバイナー手段２０１はフィンガー手段２１１〜２１３から出力されるダウンリンクフィジカルチャンネルの中でＣＰＩＣＨを専用に結合する。
【００４４】
コンバイナー手段２０２はフィンガー手段２１１〜２１３から出力されるダウンリンクフィジカルチャンネルの中でＤＰＣＨを専用に結合する。
【００４５】
コンバイナー手段２０３はフィンガー手段２１１〜２１３から出力されるダウンリンクフィジカルチャンネルの中でＰＤＳＣＨ、ＡＩＣＨ、ＰＩＣＨおよびＣＳＩＣＨのうちの一チャンネルを選択的に結合する。
【００４６】
コンバイナー手段２０４はフィンガー手段２１１〜２１３から出力されるダウンリンクフィジカルチャンネルの中でＰ−ＣＣＰＣＨおよびＳ−ＣＣＰＣＨのうちの一チャンネルを選択的に結合する。
【００４７】
セレクター手段２１０は制御プログラムに基づいて各部を制御する一つの制御部（ＣＰＵ；中央演算処理装置）で構成されており、コンバイナー手段２０１〜２０４の中の一部にチャンネル選択信号（チャンネルセレクトシグナル；channel select signal)を提供して該当するコンバイナー手段の出力を選択制御する。
【００４８】
フィンガー手段２１１〜２１３は、互いに異なるタイムオフセットで入力される多重経路のラジオチャンネル（ここでのラジオチャンネルはフィジカルチャンネルと同じ概念である。）の復調(demodulation)と逆拡散(dispreading)を含むラジオシグナリング処理を担当する。
【００４９】
フィンガー手段２１１〜２１３は、多数の互いに異なる物理チャンネルをシリアル(serial)データとして出力し、これによりセレクター手段２１０は同一のチャンネルが同一のコンバイナー手段で結合されるように各コンバイナー手段２０１〜２０４にチャンネル選択を制御するためのチャンネル選択信号をコンバイナー手段２０１〜２０４にそれぞれ提供する。言い換えれば、フィンガー手段２１１〜２１３から互いに異なる複数個の物理チャンネルがシリアルデータとして出力される際、セレクター手段２１０はコンバイナー手段２０１で一つの物理チャンネルが結合されるようにチャンネル１のための選択信号をコンバイナー手段２０１に提供するとともに、他の物理チャンネルがコンバイナー手段２０２で結合されるようにチャンネル２のための選択信号をコンバイナー手段２０２に提供する。
【００５０】
仮に、フィンガー手段２１１〜２１３からダウンリンクフィジカルチャンネルが出力される際、セレクター手段２１０はＣＰＩＣＨを専用で結合するコンバイナー手段２０１にＣＰＩＣＨのための選択信号を提供し、ＤＰＣＨを専用で結合するコンバイナー手段２０２にＤＰＣＨのための選択信号を提供する。さらに、セレクター手段２１０は、ＰＤＳＣＨ、ＡＩＣＨ、ＰＩＣＨおよびＣＳＩＣＨのうちの何れか一チャンネルを選択的に結合するコンバイナー手段２０３にチャンネル選択のためのＸ−ＣＨ（ここで、X=PDS or AI or PI or CSI）のための選択信号を提供し、Ｐ−ＣＣＰＣＨおよびＳ−ＣＣＰＣＨのうちの何れか一チャンネルを選択的に結合するコンバイナー手段２０４にチャンネル選択のためのＹ−ＣＣＰＣＨ（ここで、Y=Por S）のための選択信号を提供する。
【００５１】
なお、ここでは、コンバイナー手段２０１とコンバイナー手段２０２とは、一物理チャンネルだけを専用で結合するので、セレクタ手段２１０はコンバイナー手段２０１とコンバイナー手段２０２とにチャンネル選択のための別途の選択信号を提供しなくてもよい。
【００５２】
図４の構成では、ダウンリンク(downlink)で使用されるフィジカルチャンネルの中で同一の受信経路を使用してもデータ損傷無く又は同じタイミングに受信されないチャンネルをグループ化している。以下、チャンネルグループ化による本発明の構成について説明する。
【００５３】
主ＣＰＩＣＨは位相の報償のために使用される。また、主ＣＰＩＣＨはダウンリンクフィジカルチャンネル(downlink physical channel)、つまりＳＣＨ、Ｐ−ＣＣＰＣＨ、ＡＩＣＨ、ＰＩＣＨ、ＣＳＩＣＨ、ＤＰＣＣＨ ｆｏｒＣＰＣＨ、さらにＳ−ＣＣＰＣＨに対する位相基準となり、位相の報償のために使用されるため、他のダウンリンクチャンネルと独立されるように構成する。したがって、コンバイナー手段２０１は、フィンガー手段２１１〜２１３から出力されるダウンリンクフィジカルチャンネルの中でＣＰＩＣＨを専用で結合(sum)する。
【００５４】
次に、ＤＰＣＨのうちＤＰＣＣＨは制御情報の伝送に使用され、ＤＰＤＣＨは専用のデータの伝送に使用される。このＤＰＣＨはシステム(UTRAN)と端末装置(UE)との間に使用者情報および制御情報を伝送するに使用される伝送チャンネルのＤＣＨにマッピングされる。最も重要な点は、ＤＰＣＨが特定の端末に専用で使用されるという点である。実際に、システム(UTRAN)とターミナル(UE)間に通信する理由はＤＰＣＨを介して伝送される情報などのためであり、前記情報は損傷されてはいけない。これにより、本発明ではＤＰＣＨが他の下向きリンクチャンネルと独立されるように構成する。したがって、コンバイナー手段２０２はフィンガー手段２１１〜２１３から出力されるダウンリンクフィジカルチャンネルの中でＤＰＣＨを専用で結合(sum)する。
【００５５】
コンバイナー手段２０３はフィンガー手段２１１〜２１３から出力されるＰＤＳＣＨ、ＡＩＣＨ、ＰＩＣＨおよびＣＳＩＣＨのうちの何れか一つを選択的に結合し、コンバイナー手段２０４はフィンガー手段２１１〜２１３から出力されるＰ−ＣＣＰＣＨおよびＳ−ＣＣＰＣＨのうちの何れか一つを選択的に結合する。
【００５６】
上記したように、コンバイナー手段２０３とコンバイナー手段２０４とを多数のフィジカルチャンネルのうちの一チャンネルを選択的に結合するように構成することは、チャンネルの特性およびチャンネル信号の伝送タイミングを考慮したことである。言い換えれば、ＡＩＣＨの場合は他の物理チャンネルと同じコンバイナー手段を使用するように構成することができる。これは、既述したように、ＡＩＣＨの伝送されない部分はＣＳＩＣＨまたは他の物理チャンネルを伝送するために残したからである。
【００５７】
ＰーＣＣＰＣＨとＳ−ＣＣＰＣＨの場合について説明すると、Ｐ−ＣＣＰＣＨは、セルのシステムフレームナンバーＳＦＮを伝送し、あらゆる物理チャンネルのタイミング基準として使用される。よって、Ｐ−ＣＣＰＣＨは他のダウンリンクチャンネルと独立されるように構成する。また、Ｓ−ＣＣＰＣＨとＰ−ＣＣＰＣＨは互いに異なる伝送タイミングを有するので、これら２つのチャンネルは一つのコンバイナー手段２０４を使用するように構成する。
【００５８】
上記においてインジケーター(indicator)を伝送するチャンネルＡＩＣＨ、ＰＩＣＨ、ＣＳＩＣＨは、その役割を考慮する際、同じタイムに伝送されないので、同一のコンバイナー手段を使用するように構成する。結局、本発明のコンバイナー手段２０１〜２０４は同じタイミングに最大４つのチャンネルを結合してそのチャンネルのデータを同時に出力する。
【００５９】
次に、本発明の移動通信システムの第２実施形態について説明する。
【００６０】
図５は、本発明の移動通信システムの第２実施形態によるＲＡＫＥレシーバ(receiver)のフィンガー手段と結合器（radio signaling end；無線信号処理端）を示すブロック図である。なお、ここで示したレシーバは移動通信システムに装着される。また、図５のフィンガー手段は図４に示すフィンガー手段と機能および動作が同様である。したがって、以下のフィンガー手段の説明は図４に示すフィンガー手段にも同様に適用される。
【００６１】
図５において、本発明のＲＡＫＥレシーバ３００は、結合器（無線信号処理端）である４つのコンバイナー手段(combiners)３０１〜３０４と、セレクタ手段(selector)３１０と、第１経路の第１フィンガー手段３１１、第２経路の第２フィンガー手段３１２、第３経路の第３フィンガー手段３１３からなる３つのフィンガー手段(fingers)とから構成されている。
【００６２】
フィンガー手段３１１〜３１３はダウンリンクフィジカルチャンネルが多重経路に受信されると、その各チャンネルを先入先出(first in first out)タイプで並列してラジオシグナリング処理する。言い換えれば、先に入るダウンリンクフィジカルチャンネルに対して優先的にラジオシグナリング処理し、互いに異なるタイムオフセットを有する一つのダウンリンクフィジカルチャンネルが３つの経路に分離されるとき、各分離された経路で該当チャンネルを復調(demodulation)し逆拡散(dispreading)する。
【００６３】
この後、コンバイナー手段３０１〜３０４は、フィンガー手段３１１〜３１３から連続して出力される互いに異なるタイムオフセットの一フィジカルチャンネルを同じタイミングで結合して出力させる。この際、セレクタ手段３１０は、フィンガー手段３１１〜３１３から出力される互いに異なるフィジカルチャンネルが互いに異なるコンバイナー手段３０１〜３０４で結合されるように制御する。より詳しくは、コンバイナー手段３０１〜３０４のうちのコンバイナー手段３０１は、フィンガー手段３１１〜３１３から互いに異なるタイムオフセットで出力される第１フィジカルチャンネルを一タイミングで結合し、コンバイナー手段３０２はフィンガー手段３１１〜３１３から互いに異なるタイムオフセットで出力される第２フィジカルチャンネルを一タイミングで結合する。さらに、コンバイナー手段３０３はフィンガー手段３１１〜３１３から互いに異なるタイムオフセットで出力される第３フィジカルチャンネルを一タイミングで結合し、コンバイナー手段３０４はフィンガー手段３１１〜３１３から互いに異なるタイムオフセットで出力される第４フィジカルチャンネルを一タイミングで結合する。なお、ここで、第１、第２、第３、第４はフィジカルチャンネルの入力順序でなく、互いに異なる物理チャンネルを表現するための記号である。
【００６４】
コンバイナー手段３０１〜３０４の動作のためのセレクタ手段３１０からの制御動作は次の通りである。
【００６５】
即ち、セレクタ手段３１０は、ダウンリンクフィジカルチャンネルのうち第１フィジカルチャンネルを結合するように制御する第１フィジカルチャンネルのための選択信号をコンバイナー手段３０１に入力し、第２フィジカルチャンネルを結合するように制御する第２フィジカルチャンネルのための選択信号をコンバイナー手段３０２に入力し、第３フィジカルチャンネルを結合するように制御する第３フィジカルチャンネルのための選択信号をコンバイナー手段３０３に入力し、第４フィジカルチャンネルを結合するように制御する第４フィジカルチャンネルのための選択信号をコンバイナー手段３０４に入力する。
【００６６】
結局、セレクター手段３１０は、互いに異なるフィジカルチャンネルが互いに異なるコンバイナー手段３０１〜３０４に分離され、各コンバイナー手段３０１〜３０４が一つのフィジカルチャンネルを選択的に結合するように制御する選択信号を各コンバイナー手段３０１〜３０４に入力する。
【００６７】
なお、以上、本発明の好適な第１実施形態および第２実施形態に対して説明したが、これらに限定されるものではなく、本発明の技術思想に基づいて種々の変形または変更が可能である。
【００６８】
【発明の効果】
以上のように、本発明の移動通信システムの受信機によれば、次のような効果がある。
【００６９】
本発明の移動通信システムの受信装置は、従来においてダウンリンクフィジカルチャンネルの個数程度が要求されるコンバイナー手段の個数と、各ダウンリンクフィジカルチャンネル別に３つづつ要求されるフィンガー手段の個数とを著しく減らすことができ、これにより、受信装置の全体ハードウェアのスケールを著しく減らすことができる。
【００７０】
また、ダウンリンクフィジカルチャンネルに全くロス(loss)を与えないようにしつつ、受信装置のハードウェアのスケールを小さくすることができるため、ハードウェアの減少によるシステム全体性能の低下がない。また、電力消費の減少並びに論理演算器の使用の減少による経済的な効率性も増大する。
【図面の簡単な説明】
【図１】移動通信システムによる伝送チャンネルなどの物理チャンネルなどへのマッピング(mapping of transport channels onto physical channels)を示す図である。
【図２】従来のＲＡＫＥレシーバのフィンガー手段と結合器を示すブロック図である。
【図３】一般的なフィンガー手段と結合器での波形を示す図である。
【図４】本発明の第１実施形態によるＲＡＫＥレシーバのフィンガー手段と結合器を示すブロック図である。
【図５】本発明の第２実施形態によるＲＡＫＥレシーバのフィンガー手段と結合器を示すブロック図である。
【図６】ダウンリンクフィジカルチャンネルのフレームタイミングを説明するための図である。
【図７】  ＰＩＣＨフレームと連合されたＳ−ＣＣＰＣＨフレーム間のタイミングを説明するための図である。
【図８】ＤＰＣＨと連合されたＰＤＳＣＨ間のタイミングを説明するための図である。
【符号の説明】
２００,３００   ＲＡＫＥレシーバ
２０１，３０１    第１コンバイナー手段
２０２，３０２    第２コンバイナー手段
２０３，３０３    第３コンバイナー手段
２０４，３０４    第４コンバイナー手段
２１１〜２１３，３１１〜３１３    フィンガー手段
２１０，３１０    セレクタ手段
【図１】
0003889991.tif 000002
【図２】
0003889991.tif 000003
【図３】
0003889991.tif 000004
【図４】
0003889991.tif 000005
【図５】
0003889991.tif 000006
【図６】
0003889991.tif 000007
【図７】
0003889991.tif 000008
【図８】
0003889991.tif 000009